【事件の表示】
　平成　９年特許願第５２２６１７号「液晶表示装置」拒絶査定不服審判事件〔平成　９年　６月２６日国際公開、ＷＯ９７／２２９０３、平成１１年　３月　２日国内公表、特表平１１−５０２６３８〕について、次のとおり審決する。
【結　論】
　本件審判の請求は、成り立たない。
【理　由】
　
１．手続の経緯・本願発明 
　
（１）手続の経緯
　本願は、１９９６年１１月２６日（パリ条約による優先権主張外国庁受理１９９５年１２月１５日、ヨーロッパ特許庁）を国際出願日とする出願であって、平成１８年１２月１日に手続補正がなされ、平成１９年１月１７日付けで拒絶査定がなされ、これに対し、同年５月１日に拒絶査定不服審判が請求されるとともに、同年５月２９日に手続補正がなされたものである。
　
（２）本願発明
　本願の請求項１に係る発明は、平成１９年５月２９日付け手続補正後の明細書及び図面の記載からみて、その特許請求の範囲の請求項１に記載された事項により特定される次のものである。 
　
「電極が設けられた第１の基板と、この第１の基板に平行で電極が設けられた第２の基板と、これら二つの基板間に設けられた正の誘電異方性を持つツイストネマティック液晶物質と、電極に電圧を印加する駆動手段とを有し、両基板に垂直にみて、電極の重なる部分を画素としている液晶表示装置であって、前記画素を行および列に分け、前記駆動手段は、前記行を選択する周波数を、液晶表示装置の温度が低下するとき低くし、温度が上昇するとき高くする手段を有する液晶表示装置において、前記駆動手段は、行を選択する周波数が減少するとき行選択期間を長くし、行を選択する周波数が増大するとき行選択期間を短くする手段を有することを特徴とする液晶表示装置。」（以下「本願発明」という。）
　
２．刊行物の記載事項
　
　原査定の拒絶の理由に引用された、本願の優先日前に頒布された刊行物である特開平４−２０４６２７号公報（以下「引用例」という。）には、図とともに次の事項が記載されている。
　
（１）「２．特許請求の範囲
・・・・（略）・・・・
（２）直交する複数本の走査線と複数本の信号線とを有する単純マトリクス型液晶表示素子と、
　この液晶表示素子の走査線と信号線とを電圧平均化法により駆動する駆動手段とを具備する液晶表示装置において、
　前記駆動手段により前記液晶表示素子に印加される液晶駆動電圧のフレーム周波数を、周囲温度が高い場合はフレーム周波数を高く、周囲温度が低い場合はフレーム周波数を低くなるよう制御するフレーム周波数制御手段を具備することを特徴とする液晶表示装置。」（１頁、特許請求の範囲）
　
（２）「［発明の目的］
　　（産業上の利用分野）
　　本発明は、マルチプレックス型液晶表示装置に関し、特にスーパーツイスト型液晶表示装置、電界制御複屈折型液晶表示装置に関する。
　　（従来の技術）
　　一般に、液晶表示素子のしきい値電圧、応答速度といった電気光学特性は、周囲温度の変化に応じて変化することが知られている。例えば、しきい値電圧Ｖｔｈは、周囲温度が高くなるに従い低くなる。しきい値電圧Ｖｔｈの低下は、表示画像のコントラスト比の低下を招く。
　また、近年、表示画像の高精細化の要望に応じて、スーパーツイスト型液晶表示素子に代表される単純マトリクス型液晶表示素子の画素数は、著しく増加してきている。このような画素数の多い液晶表示素子は、高時分割駆動となるため、印加電圧に対する光の透過率の変化が急峻であり、周囲温度の変化による表示の変化がより顕著となる。
　従来より、液晶表示装置には、このような周囲温度の変化によるコントラスト比の低下を補償するため、しきい値電圧Ｖｔｈの低下に応じて液晶駆動電圧の実効値を下げる温度補償回路が設けられていた。駆動電圧の実効値を下げるには、例えば、特開昭５２−１９９５８に開示されているように、駆動波形の振幅を小さくするか、特開昭６１−１４１４９３に開示されているように、周囲温度の上昇にともない駆動波形のバイアス比（ｂ）を大きくする。
　しかしながら、液晶表示素子は、しきい値以外に応答速度τも周囲温度が高くなるに従い速くなる傾向がある。このため、周囲温度が高いほど、印加電圧の変化に対し、光の透過率が速い速度で変化するようになる。このような応答速度か速い状況では、最適バイアス法による電圧平均化法で駆動される液晶表示素子の場合、画像のコントラスト比が低下してしまう。これは、応答速度か遅いときは、駆動電圧の実行値電圧に対して応答していたものが、応答速度か速くなったことて駆動波形の個々の電圧パルスの振幅に追従するためと考えられる。
　　（発明が解決しようとする課題）
　　このように周囲温度か高くなり、液晶表示素子か駆動波形の個々の電圧パルスの振幅に追従するようになると、上述したような駆動波形の振幅を小さくする温度補償回路では、コントラスト比の低下を完全に補償することが困難となるという問題があった。
　本発明は、このような点に対処すべくなされたもので、周囲温度か高い場合にも、コントラスト比の高い画像を表示することのできる液晶表示装置を提供するものである。」（１頁右下欄８行〜２頁右上欄１８行）
　
（３）「［発明の構成］
　　（課題を解決するための手段）
・・・・（略）・・・・
　また、第２の発明は、直交する複数本の走査線と複数本の信号線とを有する単純マトリクス型液晶表示素子と、この液晶表示素子の走査線と信号線とを電圧平均化法により駆動する駆動手段とを具備する液晶表示装置において、前記駆動手段により前記液晶表示素子に印加される液晶駆動電圧のフレーム周波数を、周囲温度が高い場合はフレーム周波数を高く、周囲温度が低い場合はフレーム周波数を低くなるよう制御するフレーム周波数制御手段を具備するものである。
（作　用）
・・・・（略）・・・・
　また第２の発明では、液晶表示素子に印加される液晶駆動電圧のフレーム周波数を、周囲温度か高い場合はフレーム周波数を高く、周囲温度か低い場合はフレーム周波数を低くなるよう制御する
　一般に、最適化された電圧平均化法によれば、駆動デューティ比を１／Ｎ（Ｎは、走査線数）としたとき、最もコントラスト比か大となるバイアス比（最適バイアス比）ｂは、次式で表される。
　ｂ＝√Ｎ＋１　……………（１）
　このバイアス比ｂは、液晶がマルチプレクス駆動波形の実効値に対して応答するという前提のもとに成立っている。
・・・・（略）・・・・
　また、応答速度τが速くなるのに応じて駆動電圧のフレーム周波数ｆを高くすると、液晶が駆動波形に追随することができなくなり、駆動波形の実効値電圧に応答するようになる。
　従って、周囲温度の上昇にともない駆動電圧のフレーム周波数を高くすることて、温度が高いときにも（１）式のバイアス比ｂでコントラスト比の高い画像を表示することかできる。
　なお、ここでいう応答速度τとは、次のように定義される。
　すなわち、液晶素子に印加される電圧がオフ波形またはオン波形がオン波形またはオフ波形に変化したときから、液晶素子の透過率が９０％変化するのに要する時間をそれぞれτＯＮ、τＯＦＦとしたとき、応答速度τは、
　τ＝τＯＮ＋τＯＦＦ　　……（２）」（２頁右上欄１９行〜３頁右上欄７行、審決注；３頁右上欄３行目の最後の「オン波形」は「オフ波形」の明らかな誤記であるから、訂正して摘記した。）
　
（４）「（実施例）
　　以下、本発明の実施例を図面を用いて説明する。
　第１図は、本発明の一実施例の液晶表示装置の構成を示すブロック図、第２図は、この液晶表示装置に用いられる液晶表示素子の構成を示す図である。
　第１図において、２は、単純マトリクス型の液晶表示素子である。液晶表示素子２は、セグメントドライバ３、３…ならびにコモンドライバ４、４…により、マルチブレクス駆動されている。
　液晶表示素子２を駆動する電圧は、液晶駆動電圧発生回路５により発生され、セグメントドライバ３、コモンドライバ４に供給されている。
　また、第２図に示すように、液晶表示素子２は、はぼ平行に対向して配置された基板２１、２２の間に、液晶組成物２３がその周囲に設けられたシール剤２４により封入固定されて形成されている。基板２１、２２の表面には互いに直交する帯状の透明電極（信号電極）２５、（走査電極）２６と配向膜２７、２８か設けられている。さらに、基板２１の背面には、偏光板２９が、基板２２の背面には偏光板３０と半透過反射板３１が配置されている。
　このような構成で、液晶組成物としてＺＬＩ−２２９３（Ｅ、メルク社製）を用い、配向膜２７、２８のラビング方向は、液晶のツイスト角が２４０°となるようした。また、信号電極２５は６４０本、走査電極２６は２００本とした。
　（実施例１）
　上述した構成の液晶表示装置１の液晶駆動電圧発生回路５に、第３図に示す温度補償回路を付加した。
　同図に示す温度補償回路５０は、駆動電圧補償部５１とバイアス比補償部５２とから構成されている。
　駆動電圧補償部５１は、トランジスタＴｒと抵抗Ｒ１、Ｒ２、Ｒ３、サーミスタＲＴＨ１から構成されている。トランジスタＴｒは、駆動電圧ＶＯＰが抵抗Ｒ１と抵抗Ｒ２、Ｒ３、サーミスタＲＴＨ１の合成抵抗とで分圧された電圧により駆動されている。これにより、この電圧に応じた電圧がバイアス比補償部５２に供給される。
　また、バイアス比補償部５２は、直列に接続された抵抗Ｒ０、Ｒ０…とサーミスタＲＴＨ２から構成されている。このバイアス比補償部５２によるバイアス比ｂは、抵抗Ｒ０、サーミスタＲＴＨ２の抵抗値をそれぞれＲ０、ＲＴＨ２とすると次式で表される。
　１／ｂ＝Ｒ０／（４Ｒ０＋ＲＴＨ２）　……（３）
　（３）式から、温度が高くなるのに応じてバイアス比（ｂ）は、小さくなる。
　この液晶表示装置１を、ｌ０℃〜６０℃の各温度下で点灯表示させた。
　第４図は、液晶表示素子２の温度変化に対する応答速度τとしきい値ＶＴＨの変化を示す図である。
　また、第５図に、温度補償回路５０により補償された駆動電圧ＶＯＰとバイアス比（ｂ）の変化を、第６図に、これにより得られる画像のコントラスト比を示す。
　これらの図に示されるように、どの温度領域においても高いコントラスト比で画像を表示することができる。
　（実施例２）
　第１図に示す液晶表示装置１に、第７図に示す発振回路を付加し、この出力を液晶素子２を駆動するクロックとして用いる。また、駆動電圧ＶＯＰの温度補償として、第３図に示した駆動電圧補償部５１を用い、バイアス比は固定とする。
　発振回路６０は、同図に示すように、３個のインバータＩ１〜Ｉ３により構成される発振回路で、帰還抵抗としてサーミスタＲＴＨ３と抵抗Ｒ４とが直列に接続されている。
　この液晶表示装置１を、１０℃〜６０℃の各温度下で点灯表示させた。
　第８図に、このときの温度変化に対する発振回路６０の発振周波数、すなわち液晶素子２を駆動する駆動波形のフレーム周波数の変化を示す図、第９図に、これにより得られる画像のコントラスト比を示す。
　これらの図に示されるように、この実施例においても、温度に関わらず高いコントラスト比で画像を表示することができる。
　（比較例）
　第３図に示す温度補償回路５０のバイアス比補償部５２のサーミスタＲＴＨ２を固定抵抗に置き換え、１０℃〜６０℃の各温度下で点灯表示させた。
　第１０図に示すように、このとき得られる画像のコントラスト比は、温度上昇にともない著しく低下する。
　なお、本発明は、上述した実施例に限定されるものではなく、その技術思想の範囲内で種々の変形か可能である。
　［発明の効果］
　本発明の液晶表示装置によれば、温度か高いときにもコントラスト比の高い画像を表示することかできる。」（３頁右上欄８行〜４頁左下欄４行）
　
（５）上記（１）〜（４）からみて、引用例には、
「ほぼ平行に対向して配置された基板２１、２２と、該基板２１、２２の表面に設けられ互いに直交する複数本の信号電極２５及び複数本の走査電極２６と、前記基板２１、２２の間に封入固定された液晶組成物であるメルク社製ＺＬＩ−２２９３とを有するスーパーツイスト型の単純マトリクス型液晶表示素子と、該液晶表示素子の走査線と信号線とを電圧平均化法により駆動する駆動手段とを具備する液晶表示装置において、
　前記駆動手段により前記液晶表示素子に印加される液晶駆動電圧のフレーム周波数を、周囲温度が高い場合はフレーム周波数を高く、周囲温度が低い場合はフレーム周波数を低くなるよう制御するフレーム周波数制御手段を具備する液晶表示装置。」の発明（以下「引用発明」という。）が記載されているものと認められる。
　
３．対比
　
　本願発明と引用発明とを対比する。
　
（１）引用発明の「スーパーツイスト型の単純マトリクス型液晶表示素子」が有する「液晶組成物であるメルク社製ＺＬＩ−２２９３」は、「正の誘電異方性を持つツイストネマティック液晶物質」であるから（特開平６−３２４３０１号公報の段落００３４及び００３８、特開平６−３４９７５号公報の段落００１０及び００１７、特開平５−６１０７３号公報の段落００８４、特開平４−１９８９１８号公報の５頁右下欄７〜１７行、特開平３−２９３３２７号公報３頁左下欄１〜１９行、特開平３−２０９４２９号公報４頁左上欄１４行〜同頁右上欄２行参照。）、本願発明の「誘電異方性を持つツイストネマティック液晶物質」に相当する。
　
（２）上記（１）に照らせば、引用発明の「複数本の信号電極２５及び複数本の走査電極２６」、「ほぼ平行に対向して配置された基板２１、２２と、該基板２１、２２の表面に設けられ互いに直交する複数本の信号電極２５及び複数本の走査電極２６」及び「前記基板２１、２２の間に封入固定された液晶組成物であるメルク社製ＺＬＩ−２２９３」は、それぞれ、本願発明の「電極」、「電極が設けられた第１の基板と、この第１の基板に平行で電極が設けられた第２の基板」及び「これら二つの基板間に設けられた正の誘電異方性を持つツイストネマティック液晶物質」に相当する。
　
（３）上記（２）に照らせば、引用発明の「ほぼ平行に対向して配置された基板２１、２２と、該基板２１、２２の表面に設けられ互いに直交する複数本の信号電極２５及び複数本の走査電極２６と、前記基板２１、２２の間に封入固定された液晶組成物であるメルク社製ＺＬＩ−２２９３とを有するスーパーツイスト型の単純マトリクス型液晶表示素子と、該液晶表示素子の走査線と信号線とを電圧平均化法により駆動する駆動手段とを具備する液晶表示装置」は、両基板２１、２２に垂直にみて、直交する電極２５６、２６の重なる部分を画素とし、該画素を行および列に分けて駆動していることが明らかであるから、引用発明の「スーパーツイスト型の単純マトリクス型液晶表示素子と、該液晶表示素子の走査線と信号線とを電圧平均化法により駆動する駆動手段とを具備」し「前記駆動手段により前記液晶表示素子に印加される液晶駆動電圧のフレーム周波数を、周囲温度が高い場合はフレーム周波数を高く、周囲温度が低い場合はフレーム周波数を低くなるよう制御するフレーム周波数制御手段を具備する」事項は、本願発明の「電極の重なる部分を画素とし」「前記画素を行および列に分け、前記駆動手段は、前記行を選択する周波数を、液晶表示装置の温度が低下するとき低くし、温度が上昇するとき高くする手段を有する」事項に相当する。
　
（４）よって、本願発明と引用発明とは、
「電極が設けられた第１の基板と、この第１の基板に平行で電極が設けられた第２の基板と、これら二つの基板間に設けられた正の誘電異方性を持つツイストネマティック液晶物質と、電極に電圧を印加する駆動手段とを有し、両基板に垂直にみて、電極の重なる部分を画素としている液晶表示装置であって、前記画素を行および列に分け、前記駆動手段は、前記行を選択する周波数を、液晶表示装置の温度が低下するとき低くし、温度が上昇するとき高くする手段を有する液晶表示装置。」の点で一致し、次の点で相違する。 
　
相違点：
　前記駆動手段が、本願発明においては、行を選択する周波数が減少するとき行選択期間を長くし、行を選択する周波数が増大するとき行選択期間を短くする手段を有するのに対して、引用発明においては、行を選択する周波数が減少するとき行選択期間を長くするか否か、また、行を選択する周波数が増大するとき行選択期間を短くするか否かが、明らかでない点。
　
４．判断
　
（１）上記相違点について検討する。
　引用発明は、スーパーツイスト型の単純マトリクス型液晶表示素子の走査線と信号線とを電圧平均化法により駆動するものであるところ、フレーム周波数をｆとすると、行選択期間においてある行を選択してから次に該行を選択するまでの期間であるフレーム周期Ｔは１／ｆであり、電圧平均化法において、フレーム周期をＴとし、走査線数をＮとすると、行選択期間ｔがＴ／Ｎ、非選択期間が（Ｎ−１）Ｔ／Ｎとなる関係で駆動することが本願の優先日前に周知であるから（例．特開平５−３０３０７９号公報（段落０００２参照。）、特開平５−４６１２７号公報（段落０００２参照。）、特開平５−２９７８３６号公報（段落０００２参照。）、特開昭６２−２５７１９７号公報（１頁右下欄１〜６行、３頁左上欄１０〜１３行及び第６図参照。）、佐々木昭夫編、液晶エレクトロニクスの基礎と応用、第１版第４刷、株式会社オーム社、昭和５８年５月３０日発行、９０〜９７頁（９１頁３行「ＮはＸおよびＹの電極数とする」、９３頁９〜１０行「繰返し周期Ｔ，パルス幅Ｔ／Ｎのパルストレイン」の記載参照。））、引用発明にこの周知技術を採用して、電圧平均化法により駆動する際に、走査線の本数をＮとし、各走査線を行選択期間ｔで順次選択して、フレーム周期Ｔとした場合、各選択期間ｔをｔ＝Ｔ／Ｎとすること、すなわちＴ＝Ｎｔとすることは当業者が容易に想到することができた程度のことであり、その結果、引用発明において、周囲温度が高い場合はフレーム周波数（ｆ＝１／Ｔ）を高くする（増大する）よう制御するとフレーム周期Ｔ及び行選択期間ｔを短くすることになり、周囲温度が低い場合はフレーム周波数を低くなる（減少する）よう制御するとフレーム周期Ｔ及び行選択期間ｔを長くすることになる。
　したがって、引用発明において上記相違点に係る本願発明の構成となすことは上記周知技術に基づいて当業者が容易になし得た程度のことである。
　
（２）効果
　
　そして、本願発明の奏する効果は、引用発明の効果及び上記周知技術の効果から当業者が予測できた程度のものである。
　
（３）まとめ
　
　以上の検討によれば、本願発明は、引用発明及び上記周知技術に基いて当業者が容易に発明をすることができたものである。
　
５．むすび 
　
　したがって、本願発明は、引用例に記載された発明及び上記周知技術に基いて当業者が容易に発明をすることができたものであるから、特許法２９条２項の規定により、特許を受けることができない。
　
 　よって、結論のとおり審決する。